(57)【要約】【課題】照度を高くしつつ、伸縮筒の伸び縮みの繰り返しによる断線を防止した指示棒を提供する。【解決手段】  光源及び電源を備えた把持部と、把持部から一の方向に伸縮する伸縮筒と、前記伸縮筒の前記把持部とは反対の端部に備えられた先端部と、を備えた指示棒において、前記伸縮筒の内面は、反射率が８０％以上で加工されており、前記光源からの光が前記内面で反射して前記先端部に届けられる事を特徴とする。これにより、先端部３の照度を高くしつつ、伸縮筒の伸び縮みの繰り返しによる断線を防止する事ができる。【選択図】図１
2018200352.tif 000002
【特許請求の範囲】
【請求項１】
光源及び電源を備えた把持部と、
把持部から一の方向に伸縮する伸縮筒と、
前記伸縮筒の前記把持部とは反対の端部に備えられた先端部と、を備えた指示棒において、
前記伸縮筒の内面は、反射率が８０％以上で加工されており、前記光源からの光が前記内面で反射して前記先端部に届けられる事を特徴とする指示棒。
【請求項２】
前記伸縮筒の内面は、鏡面加工されている事を特徴とする請求項１に記載の指示棒。
【請求項３】
前記把持部にセンサが備えられ、前記先端部が被指示物に接触した事を検知して、前記光源を点灯させる事を特徴とする請求項１または請求項２に記載の指示棒。
【請求項４】
前記伸縮筒は、外面と内面との間が絶縁されており、前記伸縮筒の一の端部において外面と内面とが電気的に接続されており、前記先端部には、芯材が前記伸縮筒の内部に、前記内面に接しないように配置されている事を特徴とする請求項１から３のいずれかに記載の指示棒。
【発明の詳細な説明】
【技術分野】
【０００１】
本発明は、把持部に光源を備え、先端部を光らせるようにした伸縮可能な指示棒に関する。
【背景技術】
【０００２】
従来から先端部が光る伸縮可能な指示棒は知られている。例えば、特許文献１には、利用者が手に持つための把持部と、把持部の端部に備えられた伸縮自在な伸縮筒と、伸縮筒の把持部とは反対側の端部に設けられた光源を含む先端部と、を備えた指示棒が開示されている。この指示棒は、把持部の内部に電池を備えており、電池に接続した配線が、伸縮筒内部に配置され、先端部の光源に接続されている。さらに、配線は、カールコードであり、伸縮筒を伸ばした状態のときに、カールコードが伸びた状態になる。これにより伸縮筒の伸び縮みに合わせて、配線も伸び縮みする。
【０００３】
一方、特許文献２には、把持部と伸縮筒と先端部とを備え、把持部側にレーザポインタと電池とが備えられた指示棒が開示されている。先端部の内部には乱反射する内面を有しており、レーザポインタの光線が乱反射される事で先端部が光輝される事が開示されている。
【先行技術文献】
【特許文献】
【０００４】
【特許文献１】実用新案登録第３１９９４１６号公報
【特許文献２】特開２０００−３５２６９３
【発明の概要】
【発明が解決しようとする課題】
【０００５】
しかしながら、特許文献１の指示棒においては、伸縮筒を伸ばしたときにカールコードも同じように伸びる状態となるが、弾性力が絶えずカールコードに接続された回路基板及び光源にかかる事から、接続された部分の劣化等により断線する可能性があった。
【０００６】
また、特許文献２の指示棒においては、レーザポインタとして一般的に使用されているレーザ半導体は、光の指向性は高いものの照度は高くなく、指示棒の先端を光らせるには、照度が足りないという問題があった。
【０００７】
本発明は、照度を高くしつつ、伸縮筒の伸び縮みの繰り返しによる断線を防止した指示棒を提供する事を目的とする。
【課題を解決するための手段】
【０００８】
上記目的を達成するために、請求項１に記載の発明に係る指示棒は、光源及び電源を備えた把持部と、把持部から一の方向に伸縮する伸縮筒と、前記伸縮筒の前記把持部とは反対の端部に備えられた先端部と、を備えた指示棒において、前記伸縮筒の内面は、反射率が８０％以上で加工されており、前記光源からの光が前記内面で反射して前記先端部に届けられる。
【０００９】
請求項２に記載の発明に係る指示棒において、前記伸縮筒の内面は鏡面加工されている。
【００１０】
請求項３に記載の発明に係る指示棒において、前記把持部にセンサが備えられ、前記先端部が被指示物に接触した事を検知して、前記光源を点灯させる。
【００１１】
請求項４に記載の発明に係る指示棒において、前記伸縮筒は、外面と内面との間が絶縁されており、前記伸縮筒の一の端部において外面と内面とが電気的に接続されており、前記先端部には、芯材が前記伸縮筒の内部に、前記内面に接しないように配置されている。
【発明の効果】
【００１２】
本発明によれば、把持部は、光源及び電源を備える。伸縮筒は、把持部から一の方向に伸縮する。先端部は、前記伸縮筒の前記把持部とは反対の端部に備えられる。前記伸縮筒の内面は、反射率が８０％以上で加工されており、前記光源からの光が前記内面で反射して前記先端部に届けられる。この結果、先端部で十分な照度を得られ、更には、伸縮筒の伸縮による配線の断線を防止する事ができる。
【図面の簡単な説明】
【００１３】
【図１】本発明の第１実施形態に係る指示棒の全体外観図である。
【図２】第１実施形態における把持部の拡大断面図である。
【図３】第１実施形態における伸縮筒の一部を示す拡大図である。
【図４】第３実施形態における第３の筒、第４の筒、及び第５の筒の拡大断面図である。
【図５】第３実施形態における第５の筒の一の方向端部を示す図である。
【図６】第３実施形態における第４の筒の一の方向端部を示す図である。
【図７】第３実施形態における先端部３及び第５の筒の拡大断面図である。
【発明を実施するための形態】
【００１４】
本発明の指示棒に係る実施形態について、図面を参照して説明する。
【００１５】
［第１実施形態］
本発明の実施形態１に係る指示棒について、説明する。図１に示すように、指示棒は、把持部１と、伸縮筒２と、先端部３と、を備える。先端部３の方向を一の方向とし、把持部１の方向を他の方向として以下説明を行う。
【００１６】
把持部１の材質は、プラスチックである。把持部１は、断面が四角形状で長手方向の長さが約１０ｃｍの形状を有する。なお、把持部１の形状は四角形状以外に、円形状、三角形状のいずれでもよく、利用者が握りやすい形状である事が望ましい。
【００１７】
伸縮筒２は、断面が円形状である５本の筒で構成される。伸縮筒２の材質は、ステンレス素材である。伸縮筒２は、把持部１に固定された第１の筒２１と、第１の筒に対して一の方向に隣り合う第２の筒２２と、第２の筒に対して一の方向に隣り合う第３の筒２３と、第３の筒に対して一の方向に隣り合う第４の筒２４と、第４の筒に対して一の方向に隣り合う第５の筒２５とで構成される。なお、伸縮筒２は、５本の筒以外に、３本の筒、６本の筒等で構成されてもよく、材質もステンレス素材以外に、真鍮、アルミニウム等の素材でもよい。
【００１８】
先端部３は、被指示物を指し示すための部分である。先端部３の材質は、透過性のプラスチックである事が望ましい。先端部３は、第５の筒２５における１の方向端部に固定されている。なお、材質は透過性のプラスチック以外に乳白アクリル等の拡散材料であってもよい。
【００１９】
把持部１を、図２を参照して説明する。把持部１は、内部に電源１１と、回路基板１２と、センサ１３と、光源１４と、収納部１５と、を備える。
【００２０】
電源１１は、乾電池又はバッテリーである。
【００２１】
回路基板１２は、後述する光源１４を点灯駆動するための回路基板である。具体的には、回路基板１２は電源１１からの電源を基に、光源１４を点灯するのに必要な電圧まで昇圧又は降圧及び点灯をオンオフ制御するための回路基板である。
【００２２】
センサ１３は、振動を検知するセンサである。具体的には先端部３が被指示物に接触したときに、センサ１３はその接触に伴う振動を検知して回路基板１２に点灯オンの信号を送信する。
【００２３】
光源１４は、ＬＥＤ素子である。
【００２４】
収納部１５は、伸縮筒２が縮んだ状態で収納される空間である。具体的には、収納部１５の大きさは、第１の筒２１、第２の筒２２、第３の筒２３、第４の筒２４、及び第５の筒２５が縮んだ状態において、伸縮筒２の全てが把持部２の内部に入り込む大きさである。
【００２５】
次に、伸縮筒２を、図３を参照して説明する。第１の筒２１の形状は、一の方向端部の外径Ｒ１２が、他の方向端部の外径Ｒ１１に比べて小さい外径を有する形状となっている。また第１の筒２１の形状は、１の方向端部の内径Ｒ１３が、第２の筒２２における他の方向端部の外径Ｒ２１より小さい内径を有する形状となっている。このため、第１の筒２１の内部に収納された第２の筒２２を一の方向に伸ばした時に、第２の筒２２が第１の筒２１の内面で係止し、抜けを防止する。第２の筒２２、第３の筒２３、第４の筒２４、第５の筒２５全て、上記と同様の形状を有している。
【００２６】
さらに第１の筒２１、第２の筒２２、第３の筒２３、第４の筒２４、第５の筒２５のいずれの筒も全て、内面が鏡面加工されている。内面を鏡面加工にする事により反射率８０％以上にする事ができ、把持部１にある光源１４からの光を先端部３に届ける事が可能となる。ここで、反射率８０％とは、光源１４からの光が、内面で第１回目の反射がなされたときに、入射した光束のうち、反射した光束が８０％になる事を意味しており、先端部３に向けて数回の反射がなされると、光束が数回分２０％ずつ減る事になる。このため、反射率が低い材質を使用すると、内面に反射した光束が極端に減る事になり、光源１４から内面に反射もせず、まっすぐ届いた光束のみとなり、先端部３での照度が非常に小さいものとなってしまう。
【００２７】
次に、先端部３を、図１を参照して説明する。先端部３は、円錐台の形状を有する。具体的には、先端部３の一の方向端部の外径は、他の方向端部の外径に比べて小さい形状となっている。
【００２８】
先端部１が被指示物に接触したときに、その振動が伸縮筒２を介して把持部１に伝えられる。この振動によって、センサ１３が回路基板１２に点灯オンの信号を送信し、回路基板１２が点灯オンの信号に従って光源１４に対して電圧を供給する。
【００２９】
＜第１実施形態の効果＞
本実施形態によれば、把持部１に振動を検知するためのセンサ１３が備えられている。この結果、利用者が被指示物を指し示すときに、従来の指示棒に備えられたスイッチを押す操作を行わなくとも、先端部を光らせる事が可能となる。利用者が、説明に集中し過ぎた事により、スイッチを押し忘れ、先端部が光らないという事も防止する事ができる。
【００３０】
［第２実施形態］
本発明の第２実施形態に係る指示棒について、説明する。第２実施形態は、センサ１３において、第１実施形態と相違する。第２実施形態において、第１実施形態と同じ構成には、同じ記号または番号を付し、その同じ構成の説明を省略する。
【００３１】
把持部１は、電源１１と、回路基板１２と、センサ１３と、光源１４と、収納部１５とを備える。
【００３２】
センサ１３は、音を検知するセンサである。さらにセンサ１３と、音データを記憶したメモリーとで、ユニットを構成する。音データは、時間軸に対する振幅を示す音波形データと音の種類に応じた指示を示すメタデータとを含む。
【００３３】
利用者が被指示物を指し示すとき、被指示物と先端部３との接触による音をセンサ１３で検知し、検知した音の音波形データと、メモリーに予め記憶しておいた音波形データとを比較する。検知した音の音波形データに一致する音波形データがメモリーに記憶されている場合、その音波形データに関連付けされたメタデータを読み出し、メタデータの指示に従って、指示情報を含む点灯オンの信号を回路基板２に送信する。回路基板２は、指示情報を含む点灯オンの信号に従い、光源１４に対して電圧を供給する。
【００３４】
＜第２実施形態の効果＞
本実施形態によれば、把持部１に音を検知するためのセンサ１３が備えられている。この結果、利用者が被指示物を指し示すときに、従来の指示棒に備えられたスイッチを押す操作を行わなくとも、先端部を光らせる事が可能となる。利用者が、説明に集中し過ぎた事により、スイッチを押し忘れ、先端部が光らないという事も防止する事ができる。
【００３５】
さらに、メモリーに音波形データとメタデータとが記憶されている事により、音の違いによって光源１４の光の色を変更する事が可能となる。例えば、被指示物の材質の違いによる音毎に、メモリーに音波形データと、指示を示す光の色情報を含むメタデータと、を記憶しておく事で、光源１４の光の色を変更する事が可能となる。
【００３６】
［第３実施形態］
本発明の第３実施形態に係る指示棒について、説明する。第３実施形態は、センサ１３の代わりに、検出電圧によって点灯オンオフの制御を行う点で、第１実施形態と相違する。第３実施形態において、第１実施形態と同じ構成には、同じ記号または番号を付し、その同じ構成の説明を省略する。
【００３７】
本発明の第３実施形態における第１の筒２１、第２の筒２２、第３の筒２３、第４の筒２４、及び第５の筒２５について、説明する。ここでは、第３の筒２３、第４の筒２４、及び第５の筒２５について、図４、図５、及び図６を参照して説明する。図４は、第３の筒２３、第４の筒２４及び第５の筒２５の断面図を示す。第１の筒２１及び第２の筒２２は、第３の筒２３及び第４の筒２４と同様の構造のため説明を省略する。
【００３８】
図４に示すように第５の筒２５は、径と一の方向から他の方向への長さとが異なる２つの筒から構成されている。具体的には、異なる２つの筒は、外側に配置される外側筒２５１と、外側筒の内部空間に配置される内側筒２５２と、で構成される。また、外側筒２５１の一の方向から他の方向への長さが、内側筒２５２の一の方向から他の方向への長さに比べて短い形状となっている。また、外側筒２５１の他の方向端部には鍔部２５７が設けられている。この鍔部２５７は、外側筒の外面よりも外径方向に突出して設けられる。外側筒２５１及び内側筒２５２の一の方向の各端部の面が面一になるように配置される。外側筒２５１及び内側筒２５２は、一の方向の端部近辺以外において第１絶縁物２５５を介して固定されている。絶縁物としては、エポキシ樹脂等の絶縁性の接着材が望ましい。
【００３９】
また、一の方向端部には、外側筒２５１と内側筒２５２とが、電気的に接続するように、第１金属リング２５３が外側筒２５１と内側筒２５２との間にはめ込まれている。また、内側筒２５２の他の方向端部において、第２金属リング２５４がはめ込まれている。これにより、外側筒２５１と内側筒２５２とは、一の方向端部で、第１金属リング２５３を介して電気的に接続されている。
【００４０】
他の方向端部にはめ込まれた第２金属リング２５４と、外側筒２５１の他の方向端部とは、空隙が設けられており、この空隙に第１絶縁物２５５が配置される。
【００４１】
外側筒２５１の外面に、第２絶縁物２５６が配置される。具体的には、外側筒２５１の外面には、第２絶縁物２５６が鍔部２５７の外径方向の外面と面一となる面を有して配置される。
【００４２】
第５の筒２５の１の方向端部について、図５を参照して説明する。図５に示すように、外側筒２５１と内側筒２５２との間に第１金属リング２５３がはめ込まれており、外側筒２５１及び内側筒２５２の一の方向端部と、金属リング２５３の面とが、面一となっている。鍔部２５７の外径方向の外面と面一となる面を有する第２絶縁物２５６が配置されている。
【００４３】
さらに図４に示すように、第４の筒２４及び第３の筒２３は、径が異なり、一の方向から他の方向への長さが同一の２つの筒から構成されている。ここで、第４の筒２４は、第３の筒２３と同じ構造のため、第４の筒で説明を行う。
【００４４】
具体的には、異なる２つの筒は、外側に配置される外側筒２４１と、外側筒の内部空間に配置される内側筒２４２と、で構成される。また、外側筒２４１の他の方向端部には鍔部２４７が設けられている。この鍔部２４７は、外側筒２４１の外面よりも外径方向に突出して設けられている。外側筒２４１と内側筒２４２とは、外側筒２４１の一の方向端部が、内側筒２４２の一の方向端部に比べて突出した位置に配置されている。これにより、内側筒２４２の他の方向端部が、外側筒２４１の他の方向端部に比べて突出している。
【００４５】
外側筒２４１及び内側筒２４２は、第１絶縁物２４５を介して固定されている。絶縁物としては、エポキシ樹脂等の絶縁性の接着材が望ましい。
【００４６】
また、外側筒２４１の一の方向端部には、第１金属リング２４３がはめ込まれており、この第１金属リング２４３と、内側筒２４２の一の方向端部と、の間には、空隙が設けられ、この空隙にも第１絶縁物２４５が配置されている。
【００４７】
内側筒２４２の他の方向端部には、第２金属リング２４４がはめ込まれており、この第２金属リング２４４と、外側筒２４１の他の方向端部と、の間には、空隙が設けられ、この空隙にも第１絶縁物２４５が配置されている。
【００４８】
外側筒２４１の外面に、第２絶縁物２４６が配置される。具体的には、外側筒２４１の外面には、第２絶縁物２４６が鍔部２４７の外径方向の外面と面一となる面を有して配置される。
【００４９】
第４の筒２４の１の方向端部について、図６を参照して説明する。図６に示すように、外側筒２４１の内側に第１金属リング２４３がはめ込まれており、外側筒２４１の一の方向端部と、第１金属リング２４３の面とが、面一となっている。鍔部２４７の外径方向の外面と面一となる面を有する、第２絶縁物２４６が配置されている。
【００５０】
第１の筒２１、第２の筒２２、第３の筒２３は、第４の筒２４と同一の構造である。
【００５１】
第１の筒２１、第２の筒２２、第３の筒２３、第４の筒２４、及び第５の筒２５が全て伸びた状態の各筒の接触部分について、説明する。ここでは、第３の筒２３、第４の筒２４及び第５の筒２５について、図４を参照して説明する。第３の筒２３及び第４の筒２４の接触部分には、第３の筒２３の一の方向に設けられた空隙に第１絶縁物２３５を配置した部分と、第４の筒２４の他の方向に設けられた空隙に第１絶縁物２４５を配置した部分とが、互いに対向している。同様に第４の筒２４及び第５の筒２５の接触部分には、空隙に第１絶縁物２４５、２５５を配置した部分が、互いに対向している。
【００５２】
先端部３について、図７を参照して説明する。芯材３１が、先端部３の他の方向に突出して配置される。この芯材３１は、導電性と有する材質であり、望ましくは、抵抗率の低い銅等の金属である。
【００５３】
先端部３は、第５の筒２５に対して、第１弾性体３２を介して固定されており、芯材３１が、第２弾性体３３により第５の筒２５の内側筒２５２の内面に接触せず、内側筒の中心の位置に配置されている。第１弾性体３２は、ゴム等の反発力を有する材質が望ましい。また、第２弾性体３３は、第１弾性体３２に比べて弾性力が弱い材質であり、芯材３１を突き刺すことができるスポンジ等の材質が望ましい。これにより、先端部３が被指示物に接触したときに、弾性力に反発しながら、先端部３が第５の筒に対して傾き、その傾きに従って、芯材３１が、内側筒２５２の一の方向端部近辺の内面と、内側筒２５２の他の方向近辺の内面と、に接触する。
【００５４】
把持部１の回路基板１２と、第１の筒２１の外側筒及び内側筒と、電気的に接続されている。具体的には、第１の筒２１の他の方向に、はめ込まれた金属リング以外の部分の外側筒の外面及び内側筒の内面が回路基板と電気的に接続されている。
【００５５】
これにより、第１の筒２１を把持部１から伸ばした状態で、第１の筒２１の外側筒及び内側筒と回路基板１２とが電気的に接続され、さらに、第２の筒２２、第３の筒２３、第４の筒２４、第５の筒２５を全て伸ばした状態のときに、回路基板１２からの電流が、第１の筒２１の外側筒外面から、第２の筒２２の外側筒外面、第３の筒２３の外側筒２３１外面、第４の筒２４の外側筒２４１外面、第５の筒２５の外側筒２５１外面、及び第５の筒２５の一の方向端部にはめ込まれた第１金属リング２５３を伝って、第５の筒２５の内側筒２５２内面に伝わる。
【００５６】
また、第５の筒２５の内側筒２５２内面に伝わった電流が、第４の筒２４の内側筒２４２内面、第３の筒２３の内側筒２３２内面、第２の筒２２の内側筒内面、及び第１の筒２１の内側筒内面に伝わって、回路基板１２に戻り、検出抵抗による電圧を検出する。
【００５７】
先端部３が被指示物に接触したとき、芯材３１が、内側筒２５２の一の方向端部近辺の内面と、内側筒２５２の他の方向近辺の内面と、の両方に接触する事で、短絡状態となり、検出抵抗による電圧が、異なって検出される。
【００５８】
この異なって検出された電圧を基に、先端部３が被指示物に接触したと判断して、光源１４に対して電圧を供給する。
【００５９】
＜第３実施形態の効果＞
本実施形態によれば、センサの代わりに、検出抵抗による電圧によって点灯オンオフの制御を行う。この結果、先端部３が被指示物に接触した時にのみ、点灯オンオフの制御を行える事から、先端部３以外の部分が被指示物以外の物に誤って接触した振動又は音の誤動作による点灯を防止する事ができる。さらに、第１実施形態または第２実施形態で説明したセンサと、第３実施形態の電圧検出とを、併用して、両方とも検知及び検出できたときに点灯オンオフ制御を行うようにすると、さらに精度よく誤動作による点灯を防止する事ができる。
【００６０】
［第４実施形態］
本発明の第４実施形態に係る指示棒について、説明する。第４実施形態は、第１の筒２１、第２の筒２２、第３の筒２３、第４の筒２４、及び第５の筒２５のいずれの筒において、第１実施形態と相違する。第４実施形態において、第１実施形態と同じ構成には、同じ記号または番号を付し、その同じ構成の説明を省略する。
【００６１】
本発明の第４実施形態における第１の筒２１、第２の筒２２、第３の筒２３、第４の筒２４、及び第５の筒２５の全て、内面が鏡面加工されている。さらに、第１の筒２１、第２の筒２２、第３の筒２３、第４の筒２４のいずれの内面にも、一の方向端部から他の方向端部まで、摩擦係数の低い材質のテープが所定間隔を隔てて複数貼り付けされている。摩擦係数の低い材質の一例として、超高分子量ポリエチレン等の材質からなるテープが望ましい。
【００６２】
この結果、超高分子量ポリエチレンのテープを使用する事により、第１の筒２１、第２の筒２２、第３の筒２３、第４の筒２４、及び第５の筒２５の各々の筒を伸ばした際又は縮めた際に、第１の筒の内面と第２の筒の外面との間、第２の筒の内面と第３の筒の外面との間、第３の筒の内面と第４の筒の外面との間、及び第４の筒の内面と第５の筒の外面との間には、超高分子量ポリエチレンテープを介して接触されるため、第１の筒２１、第２の筒２２、第３の筒２３、及び第４の筒２４の内面に加工された鏡面が、傷つきにくくなり、鏡面を維持する事が可能となる。
【００６３】
本発明の実施形態について以上説明したが、本発明の趣旨を逸脱しない範囲において、当業者であれば種々の変更を加えることができる。
【００６４】
（変形例１）
本実施形態において、把持部１の材料は、プラスチックである。この実施形態に代えて、把持部１の材料は、アルミニウム又はチタン等の金属であってもよい。
【００６５】
（変形例２）
本実施形態において、第１の筒２１の形状は、一の方向端部の外径Ｒ１２が、他の方向端部の外径Ｒ１１に比べて小さい外径を有する形状である。また、第２の筒２２、第３の筒２３、第４の筒２４、及び第５の筒２５の形状は、上記と同様の形状である。この実施形態に代えて、第１の筒２１の形状は、一の方向端部の外径Ｒ１２が、他の方向端部の外径Ｒ１１と同じ外径を有する形状であってもよく、第２の筒２２、第３の筒２３、第４の筒２４、及び第５の筒２５が上記と同様の形状であってもよい。この場合、第１の筒２１の内部に収納された第２の筒２２を一の方向に伸ばした時に、第２の筒２２が第１の筒２１の内面で係止し、抜けを防止するためにストッパを備える。
【００６６】
（変形例３）
本実施形態において、先端部３は円錐台の形状を有する。具体的には、先端部３の一の方向端部の外径は、他の方向端部の外径に比べて小さい形状となっている。この実施形態に代えて、先端部３は、円柱の形状又は三角柱の形状であってもよい。
【００６７】
（変形例４）
本実施形態において、第５の筒２５は、径と一の方向から他の方向への長さとが異なる２つの筒から構成されている。また、外側筒２５１の一の方向から他の方向への長さが、内側筒２５２の一の方向から他の方向への長さに比べて短い形状となっている。外側筒２５１及び内側筒２５２は、一の方向端部近辺以外において第１絶縁物２５５を介して固定されている。
【００６８】
また、一の方向端部には、外側筒２５１と内側筒２５２とが、電気的に接続するように、第１金属リング２５３が外側筒２５１と内側筒２５２との間にはめ込まれている。また、内側筒２５２の他の方向端部において、第２金属リング２５４がはめ込まれている。外側筒２５１の凹部に、第２絶縁物２５６が配置される。
【００６９】
第１の筒２１、第２の筒２２、第３の筒２３、及び第４の筒２４は、径が異なり、一の方向から他の方向への長さが同一の２つの筒から構成されている。外側筒２４１と内側筒２４２とは、外側筒２４１の一の方向端部が、内側筒２４２の一の方向端部に比べて突出した位置に配置されている。外側筒２４１及び内側筒２４２は、第１絶縁物２４５を介して固定されている。また、外側筒２４１の一の方向端部には、第１金属リング２４３がはめ込まれている。内側筒２４２の他の方向端部には、第２金属リング２４４がはめ込まれている。外側筒２４１の外面に、第２絶縁物２４６が配置される。第１筒２１、第２の筒２２、及び第３の筒２３は、第４の筒と同様の構造である。
【００７０】
この実施形態に代えて、第1の筒２１、第２の筒２２、第３の筒２３、第４の筒２４、及び第５の筒２５の外面及び内面を、導電性エストラマーで構成しても良い。具体的には、第１の筒２１を用いて説明すると、第１の筒２１の外面及び内面に、絶縁物が設けられている。この絶縁物の内部に第１の筒２１の一の方向から他の方向に向けて、複数本の導電物が平行に固定されている。これにより、回路基板１２からの電流が、第１の筒２１から第５の筒２５までの外面の導電物に流れ、更に第５の筒２５から第１の筒２１までの内面の導電物に流れる。先端部３の傾きにより、芯材３１が第５の筒の内面に接触し、その部分がショートする事により、検出電圧を検出しても良い。
【符号の説明】
【００７１】
１・・・把持部、２・・・伸縮筒、３・・・先端部、１１・・・電源、１２・・・回路基板、１３・・・センサ、１４・・・光源、１５・・・収納部、２１・・・第１の筒、２２第２の筒、２３・・・第３の筒、２４・・・第４の筒、２５・・・第５の筒、
【図１】
2018200352.tif 000003
【図２】
2018200352.tif 000004
【図３】
2018200352.tif 000005
【図４】
2018200352.tif 000006
【図５】
2018200352.tif 000007
【図６】
2018200352.tif 000008
【図７】
2018200352.tif 000009